(57)【要約】  ガスケット（１１）と、熱交換器平板（８）及びそのようなガスケットを備える組立体とが提供される。ガスケットは、熱交換器平板のポート孔部(２４)を取り囲むように配置された環状ガスケット部分（５２）を備える。環状ガスケット部分の内側縁部（５６）は、最も大きな仮想の円(８２)の中心点に一致する基準点(８０)を含む領域（５８）を画定し、仮想の円はこの領域の中にぴったり合うことができる。ガスケットは、この領域が、仮想の平面の幾何学的図形(７２)の複数のコーナーポイントであって、これらコーナーポイントのうちの少なくとも１つが円の弧(９２)から変位されている、複数のコーナーポイントと、これらコーナーポイントを結ぶ同数の全体的な曲線(７４、７６、７８)と、によって画定された形状を有し、複数のコーナーポイントのうちの第１コーナーポイント(６６)は、基準点から第１の距離(ｄ１)に位置し、複数のコーナーポイントのうちの第２コーナーポイント(６８)は、時計回りの方向で第１コーナーポイントの最も近くに基準点から第２の距離(ｄ２)で位置し、複数のコーナーポイントのうちの第３コーナーポイント(７０)は、反時計回りの方向で第１コーナーポイントの最も近くに基準点から第３の距離(ｄ３)で位置することを特徴とする。
2015534020.tif 000002
【特許請求の範囲】
【請求項１】
熱交換器平板（８）上への配置のための、前記熱交換器平板のポート孔部(２４)を取り囲むように配置された環状ガスケット部分（５２）を備えるガスケット(１１)であって、  前記環状ガスケット部分の内側縁部（５６）が、最も大きな仮想の円(８２)の中心点に一致する基準点(８０)を含む領域（５８）を画定し、前記仮想の円は前記領域の中にぴったり合う、ガスケット(１１)において、
前記領域は、
仮想の平面の幾何学的図形(７２)の複数のコーナーポイントであって、これらコーナーポイントのうちの少なくとも１つが前記円の弧(９２)から変位されている、複数のコーナーポイントと、
前記コーナーポイントを結ぶ同数の全体的な曲線(７４、７６、７８)と、
によって画定された形状を有し、
前記複数のコーナーポイントのうちの第１コーナーポイント(６６)は、前記基準点から第１の距離(ｄ１)に位置し、前記複数のコーナーポイントのうちの第２コーナーポイント(６８)は、時計回りの方向で前記第１コーナーポイントの最も近くに前記基準点から第２の距離(ｄ２)で位置し、前記複数のコーナーポイントのうちの前記第３コーナーポイント(７０)は、反時計回りの方向で前記第１コーナーポイントの最も近くに前記基準点から第３の距離(ｄ３)で位置することを特徴とする、ガスケット（１１）。
【請求項２】
前記コーナーポイント（６６、６８、７０）の数と、前記曲線（７４、７６、７８）の数とは等しく、３であることを特徴とする請求項１に記載のガスケット（１１）。
【請求項３】
前記曲線（７４、７６、７８）は、前記領域の前記基準点から見ると窪んでいることを特徴とする請求項１又は２に記載のガスケット（１１）。
【請求項４】
前記第１、第２、及び第３コーナーポイント（６６、６８、７０）は、前記領域の前記基準点（８０）から延びる第１、第２、及び第３の仮想の直線（８６、８８、９０）それぞれ上に位置し、前記第１の仮想の直線（８６）と前記第２の仮想の直線（８８）との間の第１の角度（α１）は、前記第３の仮想の直線（９０）と前記第１の仮想の直線（８６）との間の第３の角度（α３）に等しいことを特徴とする請求項１〜３のいずれか一項に記載のガスケット（１１）。
【請求項５】
前記第２コーナーポイント（６８）と前記基準点（８０）との間の距離（ｄ２）は、前記第３コーナーポイント（７０）と前記基準点との間の第３の距離（ｄ３）に等しいことを特徴とする請求項１〜４のいずれか一項に記載のガスケット（１１）。
【請求項６】
前記第１コーナーポイント（６６）と前記基準点（８０）との間の前記第１の距離（ｄ１）は、前記第２コーナーポイント（６８）と前記基準点との間の前記第２の距離（ｄ２）より小さいことを特徴とする請求項１〜５のいずれか一項に記載のガスケット（１１）。
【請求項７】
前記第１コーナーポイント（６６）と前記基準点（８０）との間の前記第１の距離（ｄ１）は、前記第３コーナーポイント（７０）と前記基準点との間の前記第３の距離（ｄ３）より小さいことを特徴とする請求項１〜５のいずれか一項に記載のガスケット（１１）。
【請求項８】
前記曲線のうちの、前記第１コーナーポイント（６６）と前記第２コーナーポイント（６８）とを結ぶ第１曲線（７４）と、前記曲線のうちの、前記第３コーナーポイント（７０）と前記第１コーナーポイント（６６）とを結ぶ第３曲線（７４）と、は類似しているが、互いに対して鏡面反転されていることを特徴とする請求項１〜７のいずれか一項に記載のガスケット（１１）。
【請求項９】
熱交換器平板（８）と、請求項１〜８のいずれか一項に記載のガスケット（１１）と、を備える組立体。
【発明の詳細な説明】
【技術分野】
【０００１】
本発明は、請求項１のおいて書きに従うガスケットに関する。また、本発明は、熱交換平板及びそのようなガスケットを備える組立体に関する。
【背景技術】
【０００２】
平板熱交換器は通常、２つの端部平板と、これら端部平板間に整列した状態で配置されている複数の伝熱平板とからなる。既知の１つのタイプの平板熱交換器である、いわゆるガスケット式平板熱交換器では、ガスケットが伝熱平板間に、より具体的には伝熱平板の端部に沿って、かつポート孔部の周りに配置されている。したがって、端部平板及び伝熱平板は互いに向かって押し付けられ、それによってガスケットが伝熱平板間をシールする。ガスケットは伝熱平板の間に流路を画定し、これら流路を通じて当初は異なる温度の２つの流体が交互に流れて一方の流体から他方の流体へ熱を移動することができる。ガスケット式平板熱交換器の性能を最適化するために、ガスケットの設計は、伝熱平板の設計のような平板熱交換器の他の構成要素の設計に適用されなければならない。
【０００３】
流体は入口ポート及び出口ポートをそれぞれ通じて流路に入出し、これら流路は平板熱交換器を通じて延び、それぞれ位置合わせされたポート孔部が伝熱平板に形成されている。入口ポート及び出口ポートは、平板熱交換器の入口及び出口とそれぞれ連通する。ポンプのような機器が２つの流体を、平板熱交換器を通じて供給するために必要とされる。入口と出口とが小さいほど、平板熱交換器の内部が受ける圧力損失は大きく、より強力になり、高価な機器が平板熱交換器の適正な作動に必要となる。必然的に、入口ポート及び出口ポートの直径は、流体の圧力損失を軽減し、より強力でない機器の使用を可能にするように大きくされる場合がある。しかし、入口ポート及び出口ポートの直径を大きくすることは、伝熱平板のポート孔部の直径を大きくすることを意味する。このことは、伝熱平板の貴重な伝熱表面を犠牲にせざるを得ないこととなり、通常は平板熱交換器の伝熱効率を結果的に低下させることになる。
【発明の概要】
【発明が解決しようとする課題】
【０００４】
本発明の目的は、比較的低い圧力損失と関連し、したがって比較的強力でない周辺機器にもまた関連して使用することができる熱交換器平板のためのガスケットを提供することである。上述のように、ガスケットを有する平板熱交換器の性能を最適化するためには、ガスケットの設計は、平板熱交換器の残りの部分の設計に適用されなければならない。例えば、通常、ガスケットは、平板熱交換器の伝熱表面を最大化するために、少なくとも部分的に熱交換器平板の端部に追随するとともに熱交換器平板の端部に近接して延びるように設計されなければならない。同時に、ガスケットと端部との間の距離は、ガスケットが端部に十分に支持され得るのに十分大きくなければならない。本発明の基本的概念は、従来の円形状のポート孔部の代わりに少なくとも１つの非円形状のポート孔部を有する熱交換器平板に適用されるガスケットを提供することである。ポート孔部、したがって、またガスケットは熱交換器平板の設計に適用することができ、ポート孔部の領域は、熱交換器平板の伝熱性能にそれほど貢献しない熱交換器平板の犠牲表面（sacrificing surface）によって拡大することができる。本発明の他の目的は、熱交換器平板とそのようなガスケットとを備える組立体を提供することである。上述の目的を達成するためのガスケット及び組立体は、特許請求の範囲に規定され、以下に説明される。
【課題を解決するための手段】
【０００５】
本発明による熱交換平板上の配置のためのガスケットは、熱交換平板のポート孔部を囲むように配置された環状ガスケット部分を有する。環状ガスケット部分の内側縁部は基準点を含む領域を画定し、基準点はこの領域にぴったり合うことができる最も大きな円の中心点に一致する。ガスケットは、環状ガスケット部分の内側縁部によって画定されたこの領域が、仮想平面の幾何学的図形（imaginary plane geometric figure）の複数のコーナーポイントによって画定された形状を有し、この仮想平面の幾何学的図形の少なくとも１つのコーナーポイントは円の弧から変位されており、同数の全体的な曲線がこれらコーナーポイントを接続している。コーナーポイントのうちの第１コーナーポイントは、基準点から第１の距離に位置している。コーナーポイントのうちの第２コーナーポイントは、時計回りの方向で第１コーナーポイントの最も近く、かつ基準点から第２の距離に位置する。さらに、コーナーポイントのうちの第３コーナーポイントは、反時計方向で第１コーナーポイントの最も近く、かつ基準点から第２の距離に位置する。
【０００６】
ここで使用されている「熱交換器平板」との用語は、ここでの焦点が伝熱平板であるとしても、端部平板と伝熱平板との両方を意味する。
【０００７】
環状ガスケット部分は、ポート孔部の端部に沿って延びるように配置される。ガスケット部分とポート孔部の端部との間の距離は、ガスケット部分に沿って本質的に同一である。したがって、ガスケット部分によって画定される領域は本質的に同一であるが、勿論、ポート孔部よりも大きい。したがって、所定の形状を有して設計されたガスケット、若しくは、特に具体的にはガスケット部分の利点は、本質的に同じ形状を有するポート孔部に適用されていることであり、このポート孔部の形状は様々な方法で有益である。この観点で、ガスケットの様々な可能性のある特徴を以下に説明する際に、これら特徴を有するガスケットが適用されるポート孔部の利点が参照される。
【０００８】
平面の幾何学的図形は、例えば三角形状、四角形状、五角形状等の多くの異なるタイプとすることができる。したがって、コーナーポイント（corner points or extreme points）の数及び曲線の数は２からそれ以上と異なる。
【０００９】
全体的曲線とは、真直ぐな部分を有さない線を意味する。したがって、環状ガスケット部分の内側縁部はいかなる直線部分も持たない外形を有し、それによって、いかなる直線部分も持たない外形を有するポート孔部に適用される。このことは、結果的にポート孔部の周りの比較的小さな曲げ応力をもたらすので有益である。ポート孔部を貫流する流体は、ポート孔部を円形形状に曲げようとする。したがって、ポート孔部が真直ぐな部分を有していたならば、熱交換器平板に比較的高い曲げ応力をもたらしてしまうだろう。
【００１０】
曲線のそれぞれは２つのコーナーポイントを接続する。
【００１１】
コーナーポイントのうちの１つは仮想の円の弧から変位しているので、環状ガスケット孔部によって画定される領域は非円形状である。
【００１２】
コーナーポイントの方向について説明する際、時計回りの方向及び反時計回りの方向は、ガスケットが熱交換平板上に適切に配置された際の、熱交換器平板に垂直な方向から見た場合の方向を参照する。
【００１３】
第２コーナーポイント及び第３コーナーポイントが時計回りの方向及び反時計回りの方向のそれぞれで第１コーナーポイントに最も近いという特徴は、環状ガスケット部分の内側縁部に従う第１、第２、及び第３コーナーポイントの相対的位置を表現する。
【００１４】
基準点と第１、第２、及び第３コーナーポイントそれぞれとの間の第１、第２及び第３の距離とは、視野内の最も短い距離である。
【００１５】
本発明のガスケットの一実施形態によれば、コーナーポイントの数と曲線の数とは同一であり３つである。これに関して、対応する平面の幾何学的図形は三角形とすることができる。この実施形態は本質的に長方形形状を有し、ポート孔部が熱交換器平板のコーナーに配置された多くの従来の熱交換器平板に好適である。
【００１６】
曲線は、環状ガスケット部によって画定された領域の基準点から見ると窪んでいるか、または外側に膨出することができる。このような設計は、環状ガスケット部によって画定された比較的大きな面積を可能にし、したがってこの領域は比較的大きなポート孔部の面積を可能にし、したがって比較的小さい圧力損失に関連する。
【００１７】
ガスケットは、第１、第２、及び第３コーナーポイントが、領域の基準点から延びる第１、第２、及び第３の仮想の直線それぞれ上に位置するように構成することができる。第１の仮想の直線と第２の仮想の直線との間の第１の角度は第３の仮想の直線と第１の仮想の直線との間の第３の角度に本質的に等しい。さらに、ガスケットは、第２コーナーポイントと基準点との間の第２の距離が第３コーナーポイントと基準点との間の第３の距離に等しいように構成することができる。これら設計は、対称的なポート孔部に対するガスケットの適用を可能にし、したがって、対称軸が第１の仮想の直線に平行である対称的な環状ガスケット領域を可能にする。対称的なポート孔部は熱交換器平板の製造を容易にする。
【００１８】
本発明によれば、第１コーナーポイントと基準点との間の第１の距離は、第２コーナーポイントと基準点との間の第２の距離及び／又は第３コーナーポイントと基準点との間の第３の距離より小さい。それによって、ガスケットをポート孔部の形状に適用する、ひいては熱交換器平板の残りの部分の設計に適用することができる。より好ましくは、熱交換器平板の設計に依存して、第１コーナーポイントの方向におけるよりも多くのポート孔部のための拡張のためのスペースを、第２及び第３コーナーポイントの方向に得ることができる。
【００１９】
ガスケットの環状ガスケット部分は、曲線のうちの、第１コーナーポイントと第２コーナーポイントとを結ぶ第１曲線と、曲線のうちの、第１コーナーポイントと第３コーナーポイントとを結ぶ第３曲線とが、類似するが互いに対して鏡面反転される用に構成することができる。そのような同一の曲線は、対称的なガスケットを、対称軸が第１の仮想の直線に平行である対称的なポート孔部に適用するのを可能にする。上述のように、対称的なポート孔部は熱交換器平板の製造を容易にする。
【００２０】
本発明による組立体は、熱交換器平板と上述したようなガスケットとを備える。
【００２１】
本発明のさらに他の目的、特徴、態様、及び利点が、以下の詳細な説明及び図面から現れて来るだろう。
【００２２】
本発明は添付の図面を参照してさらに詳述される。
【図面の簡単な説明】
【００２３】
【図１】平板熱交換器の正面図である。
【図２】図１の平板熱交換器の側面図である。
【図３】本発明による組立体、すなわちガスケットを設けられた伝熱平板の平面図である。
【図４】図３のガスケットの図である。
【図５】図３のガスケットの断面図である。
【発明を実施するための形態】
【００２４】
図１及び図２を参照すると、ガスケット式の平板熱交換器２が図示されている。この平板熱交換器２は、第１端部平板４、第２端部平板６、及び第１端部平板４と第２端部平板６との間にそれぞれ配置された複数の伝熱平板の形の熱交換器平板を備える。伝熱平板は２つの異なるタイプからなる。しかし、これは本発明には無関係であるので、２つの伝熱平板のタイプ間の違いはここでさらに説明することはしない。伝熱平板のうちの１つは、符号８で示され、図３にさらに詳細に図示されている。異なるタイプの伝熱平板は、一方の伝熱平板の正面（図３に示されている）が隣の伝熱平板の背面に対向する状態で、平板パック９中に交互に配置されている。すべての第２の伝熱平板は基準方向（図３に示されている）に対して、図３の紙面の法線方向の周りに１８０度回転されている。
【００２５】
伝熱平板は、ガスケットによって互いから離間されており、符号１１で示されるガスケットのうちの１つが、図３及び４にさらに詳細に図示されている。また、図５にはガスケット１１の断面が図示されている。伝熱平板はガスケットと一緒に、熱を一方の液体から他方の液体に移動するための２つの流体を受け取るように配置された平行チャネルを形成している。このために、第１の流体はすべての第２チャネル内を流れるように配置され、第２の流体は残りのチャネルの中を流れるように配置されている。第１の流体は、入口１０及び出口１２をそれぞれ通じて平板熱交換器２に入出する。同様に、第２の流体は、入口１４及び出口１６をそれぞれ通じて平板熱交換器２に入出する。チャネルを漏れないようにするために、伝熱平板は互いに対して押し付けられなければならず、それによってガスケットが伝熱平板間をシールする。このために平板熱交換器２は、第１及び第２端部平板４、６をそれぞれ互いに向かって押しつけるように配置された多くの締め付け手段１８を備えている。
【００２６】
伝熱平板８は、ステンレス鋼からなる本質的に長方形状のシートである。伝熱平板８は、図３の紙面に平行な中央延長面ｃ−ｃ（図２参照）を有する。伝熱平板８は、平板熱交換器の入口１０及び出口１６にそれぞれ接続された第１の流体のための入口ポート孔部２０及び第２の流体のための出口ポート孔部２２を備える。さらに、伝熱平板８は、平板熱交換器の入口１４及び出口１２にそれぞれ接続された第２の流体のための入口ポート孔部２４及び第１の流体のための出口ポート孔部２６を備える。入口及び出口ポート孔部についてはここには詳細には記載されない。代わりに、本出願と同日に出願され、ここに組み込まれる、本願出願人の同時継続の特許出願欧州特許出願第１１２１９０４９６．５号が参照される。また、伝熱平板８は異なる領域、すなわち２つの分配領域２８、３０、この分配領域間に延びる伝熱領域３２、並びに入口及び出口ポート孔部と分配領域との間に延びる断熱領域３４、３６、３８及び４０を備える。これら領域のそれぞれには、中央延長平面ｃ−ｃに対して凸部と凹部との形状の波型パターン（図示されない）が設けられ、この波型は領域の主な役割に応じた設計を有している。分配領域２８及び３０の主な役割は流体を伝熱平板８の幅全体に拡げることである。伝熱領域３２の主な役割は、熱を伝熱平板８の一方の側の流体から伝熱平板の他方の側の流体に移動することである。断熱領域３４、３６、３８、及び４０の主な役割は、入口及び出口孔部２０、２２、２４、及び２６と、分配領域２８及び３０との間の流体を案内することであり、すなわちそれらは単に流体の移動領域である。異なる領域及び波型パターンは、ここに詳細に説明されることはない。代わりに、本願出願人の同時継続の特許出願欧州特許出願第１２１９０４９３．２号が参照される。
【００２７】
伝熱平板８には、ガスケット１１を受け入れるように配置された、ゴムからなるガスケット溝部が設けられる。ガスケット溝部に適正に配置されると、ガスケット１１は、ほとんどの平板及びガスケットに通常であるように、伝熱平板８の長側部４２及び４４並びに短側部４６及び４８に沿って延び、また伝熱平板を横切って対角線上に延びる。特に、ガスケット１１は、出口ポート孔部２２及び入口ポート孔部２４をそれぞれ取り囲む２つの環状ガスケット部分５０及び５２を備える。環状ガスケット部分５０及び５２は類似しており、それが符号５２で示される一方のみがここで説明される理由である。
【００２８】
環状ガスケット部分５２はポート孔部２４の孔端部５４に沿って延びる。環状ガスケット部分５２の内側縁部５６とポート孔部２４の孔端部５４との間の距離は、環状ガスケット部分５２に沿って同じである。言い換えると、環状ガスケット部分の設計は、ポート孔部２４の形状に適用される。したがって、環状ガスケット部分５２の内側縁部５６は、ポート孔部２４と同一形状であるがポート孔部２４より大きな領域５８（図４）を区切っている。
【００２９】
環状ガスケット部分５２は、明瞭化のために破線で図４に別個に示されている。環状ガスケット部分によって画定された領域５８は、仮想の三角形７２（点線）の第１、第２、及び第３コーナーポイント６６、６８、及び７０それぞれによって画定された外形を有する。さらに、これらコーナーポイントは第１、第２、第３の全体的な曲線７４、７６、及び７８それぞれによって結ばれ、第１、第２、第３の全体的な曲線７４、７６、及び７８は入口ポート孔部内から見ると窪んでいる。領域５８の基準点８０は、この領域内に配置することができる最も大きな仮想の円８２（ゴーストライン）の中心点Ｃに一致する。第１コーナーポイント６６は、基準点８０から延びる第１の仮想の直線８６上に、基準点８０から第１の距離ｄ１で位置する。第２コーナーポイント６８は、時計回りの方向において第１コーナーポイントに近接している。さらに、第２コーナーポイント６８は、基準点８０から延びる第２の仮想の直線８８上に、基準点から第２の距離ｄ２で位置する。第３コーナーポイント７０は、反時計回りの方向において第１コーナーポイントに近接している。さらに、第３コーナーポイント７０は、基準点８０から延びる第３の仮想の直線９０上に、基準点から第３の距離ｄ３で位置する。
【００３０】
上述の第１、第２、及び第３の距離に対しては、ｄ２＝ｄ３の関係と、ｄ２＞ｄ１の関係とが成立する。さらに、第１の仮想の直線と第２の仮想の直線との間の第１角度α１は、第２の仮想の直線と第３の仮想の直線との間の第２角度α２より小さく、かつ第３の仮想の直線と第１の仮想の直線との間の第３角度α３と本質的に同一である。言い換えると、第１、第２、及び第３の角度に対しては、α１＝α３の関係と、α１＜α２の関係とが成立する。この特定の例においては、α１＝α３＝１１５度である。さらに、第１及び第２コーナーポイント６６、６８を接続する第１の曲線７４は、第３及び第１コーナーポイント７０、６６を接続する第３の曲線７８と本質的に同一である。全体として、このことは、領域５８が第１コーナーポイント及び基準点８０を通じて延びる対称軸ｓに対して対称であることを意味している。
【００３１】
図面及び上述の説明から明らかであるように、入口ポート孔部２４は従来の円状の形状を有しておらず、環状ガスケット部分もまた従来の円状の形状を有していない。代わりに、それらは、ここでは３つである複数のコーナーポイントによって画定された形状と、同数の（したがってここでは３つ）の曲線を有し、複数のコーナーポイントのうちの少なくとも１つ、ここではすべてが円８２の弧９２から変位している。もしも入口ポート孔部２４が円形であったならば、環状ガスケット部分５２は、好ましくは円８２の弧９２に一致する内側縁部５６を有するだろう。圧力損失の観点から、この関連で前述を参照すると、非常に大きな入口ポート孔部が好ましいだろう。しかし、伝熱平板８の残りの部分の設計が入口ポート孔部の可能な大きさを制限する。例えば、より大きな円状の入口ポート孔部は、入口ポート孔部の外形が端側部４８及び／又は長側部４４に近接して位置することを意味し、伝熱平板８の強度の問題をもたらすだろう。さらに、より大きな円状の入口ポート孔部はまた、入口ポート孔部２４と分配領域３０（図３）との間の領域を、ガスケットを配置するにはあまりにも狭くしてしまう場合があることをも意味する。そのような狭い中間領域は、上述に参照した波型パターンを有する伝熱平板を押し付ける際に問題を生じさせるだろう。当然、伝熱平板８の分配領域３０は、大きな円状の入口ポート孔部２４のためのスペースを作るために、伝熱平板上でさらに下方へ変位される場合があるだろう。しかし、このことは、より小さな伝熱領域３２に特に関連し、したがって伝熱平板の悪化した伝熱能力に関連してしまうだろう。
【００３２】
上述し、図面に図示したように、入口ポート孔部の領域は、伝熱平板の残りの部分の設計を補正する必要なく増加させることができる。入口ポート孔部に、円形状を有する円状の入口孔部より広い、伝熱平板８の断熱的な領域３８を占有させることによって、小さな圧力損失に関連する、より大きな入口ポート孔部を実現することができる。この拡大によって影響を受けるのは断熱領域のみであるので、伝熱平板８の分配能力及び伝熱能力は、本質的に影響を受けないで維持される。さらに、入口ポート孔部２４の外形が真直ぐな部分を有していないので、この入口ポート孔部の周りの曲げ応力は比較的小さい。
【００３３】
上述の円形の入口ポート孔部に関する別の利点はガスケットの取り付け及びフィルターに関連する。ガスケット１１は、ガスケットを伝熱平板に固定するために、伝熱平板８の縁部に係合するように配置された把持手段６０及び６２を備える。いくつかの平板熱交換器の用途に関連して、例えば何らかの方法で汚染された流体の処理に関する用途では、フィルター挿入物が使用されて伝熱平板間のチャネルへの汚染物の侵入を防止する。これらフィルター挿入物は通常、円筒状の形状を有し、平板熱交換器の入口及び／又は出口ポートを通じて、すなわち伝熱平板の入口及び出口ポート孔部を通じて延在する。もしも、従来のように、伝熱平板の入口及び出口ポート孔部が円形であったならば、ガスケットの把持手段はフィルター挿入物に干渉する場合があるだろう。しかし、もし環状ガスケット部分並びに入口及び出口ポート孔部が代わりに上述の形状を有するならば、ガスケットは、ガスケットの把持手段が伝熱平板に入口及び出口ポート孔部のコーナーポイントで係合するように適用することができる。それによって、ガスケットと円柱状フィルター挿入物との間の干渉のリスクがなくなる。
【００３４】
把持手段６０及び６２は異なるタイプとすることができ、ここで詳細に説明することはない。かわりに、把持手段６０の詳細な説明のために、本願出願人の同時継続中の特許出願である欧州特許出願第１３１５３１６７．５が参照され、この出願は参照によってここに組み込まれている。
【００３５】
上述に説明した本発明の実施形態は、例としてのみ理解されるべきである。当業者であれば、説明された実施形態を本発明の概念から乖離することなく多くの方法で変化させられることを理解する。
【００３６】
上述の平板熱交換器２の端部平板４及び６は、円状の入口及び出口を有して従来通り設計される。しかし、端部平板にもまた、上述の入口及び出口ポート孔部と同様の非円形状の入口及び出口を設けてもよい。
【００３７】
さらに、上述の、環状ガスケット部分によって画定される領域の形状は、三角形の形状の仮想平面の幾何学的図形、３つのコーナーポイント、及び３つの曲線によって画定される。当然、他の仮想平面の幾何学的図形、並びに別の数のコーナーポイント及び曲線をも、代替的な実施形態における領域を画定するために使用することができる。
【００３８】
上述の入口ポート孔部と、したがって環状ガスケット部分とは、対称軸ｓに対して対称である。勿論、入口ポート孔部と、したがって環状ガスケット部分とは、代わりに完全に非対称、又は１つ以上の対称軸に対して対称であってもよい。例として、曲線はすべてが同じ形でも異なる形でもよく、及び／又はすべてのコーナーポイントに対する基準点の距離は同じでも異なってもよい。また、曲線は窪んでいなくてもよい。１つ以上の曲線は別の形状を有することができる。
【００３９】
上述の平板熱交換器は平行逆流タイプ、すなわち流体それぞれのための入口及び出口が平板熱交換器の同じ半体（half）に配置され、流体流れが伝熱平板間のチャネルを通じて反対方向に流れるタイプである。当然、平板熱交換器は代わりに、斜流タイプ及び／又は並交流タイプとすることができる。
【００４０】
２つの異なるタイプの伝熱平板及び伝熱平板間の１つのタイプのガスケットが平板熱交換器に備えられる。当然、平板熱交換器は代替的に１つだけの平板タイプ又は２つ以上の異なる平板タイプを備えることができる。さらに、伝熱平板はステンレス鋼以外の別の材料から作ることができる。さらに、平板熱交換器は、伝熱平板間に１つ以上のタイプのガスケットを備えることができ、ガスケットはゴム以外の他の材料からなってもよい。また、ガスケットは環状ガスケット部分のみを備える、すなわちいわゆるリンクガスケットとして設計することもできる。
【００４１】
また、把持手段とは別の手段、例えば糊、接着テープ又は別のタイプの機械的取り付け手段を、ガスケットを伝熱平板に取り付けるために使用することができる。
【００４２】
最後に、本発明はガスケット式平板熱交換器とは別のタイプの、部分的に永久的に取り付けられた伝熱平板又は永久的にのみ取り付けられた伝熱平板を備える平板熱交換器に関連して使用することができる。
【００４３】
第１、第２、第３等の属性は、ここでは同じ類の種を区別するためだけに使用されており、これら種間の相互の順序をなんら示すものではないことが強調されるべきである。
【００４４】
本発明に関連しない詳細な説明は省略されたこと、及び図面が単に概略図であって、縮尺通りに描かれていないことが強調されるべきである。また、図面のいくつかは他の図面よりも単純化されていることもまた強調されるべきである。したがって、いくつかの構成要素は、１つの図面には記載されているが他の図面には記載されていない場合がある。
【符号の説明】
【００４５】
２        平板熱交換器
４        第１端部平板
６        第２端部平板
８        伝熱平板
９        平板パック
１０、１４      入口
１１      ガスケット
１２、１６      出口
１８      締め付け手段
２０、２４      入口ポート孔部
２２、２６      出口ポート孔部
２８、３０      分配領域
３２      伝熱領域
３４、３６、３８、４０      断熱領域
４２、４４      長側部
４６、４８      短側部
５０、５２      環状ガスケット部分
５４      孔端部
５６      内側縁部
５８      領域
６０、６２      把持手段
６６      第１コーナーポイント
６８      第２コーナーポイント
７０      第３コーナーポイント
７２      仮想の三角形
７４、７６、７８      曲線
８０      基準点
８２      仮想の円
８６      第１の仮想の直線
８８      第２の仮想の直線
９０      第３の仮想の直線
９２      弧
ｃ−ｃ    中央延長面
Ｃ        中心点
ｓ        対称軸
ｄ１      第１の距離
ｄ２      第２の距離
ｄ３      第３の距離
α１      第１角度
α２      第２角度
α３      第３角度
【図１】
2015534020.tif 000003
【図２】
2015534020.tif 000004
【図３】
2015534020.tif 000005
【図４】
2015534020.tif 000006
【図５】
2015534020.tif 000007
【国際調査報告】
2015534020.tif 000008
2015534020.tif 000009